(57)【要約】【課題】  構造が単純で、低コストで製造が可能で、エレベータかごの任意の内側面部に適用可能であり、且つ装飾の自由度が高いエレベータかごの内側面部構造を提供する。【解決手段】  エレベータかごの内側面部構造であって、エレベータかごの内側面部を構成する基材と、上記基材の内方面部を被覆すると共に、反基材側の面部にレンチキュラレンズが配設された合成樹脂製のシート材とを備えた構成とする。【選択図】  図１
0003162777.tif 000002
【実用新案登録請求の範囲】
【請求項１】
エレベータかごの内側面部構造であって、
エレベータかごの内側面部を構成する基材と、
上記基材の内方面部を被覆すると共に、反基材側にレンチキュラレンズが配設された合成樹脂製のシート材とを備えることを特徴とするエレベータかごの内側面部構造。
【請求項２】
上記基材と上記シート材との間には、アルミニウム・亜鉛合金めっき鋼板の塗布層が配設されていることを特徴とする請求項１記載のエレベータかごの内側面部構造。
【請求項３】
上記基材と上記シート材との間には、上記シート材と同一の大きさ寸法に形成され、全面域が発光しうるＬＥＤ照明装置が配設されていることを特徴とする請求項１記載のエレベータかごの内側面部構造。
【請求項４】
上記シート材の基材側面部には、所定の図絵が印刷されていることを特徴とする請求項１記載のエレベータかごの内側面部構造。
【請求項５】
上記エレベータかごの天井板を構成する基材、上記シート材、及び上記ＬＥＤ照明装置には、開閉自在に形成された緊急脱出用開閉口が設けられていることを特徴とする請求項３記載のエレベータかご内側面部構造。
【考案の詳細な説明】
【技術分野】
【０００１】
本考案は、エレベータかごの内側面部構造に関する。
【背景技術】
【０００２】
エレベータは、人員若しくは荷物を収納するエレベータかごと、上記エレベータかごと重り装置を吊り下げるワイヤーと、上記ワイヤーを巻き上げることによって、上記エレベータかごと重り装置を上下させるモータ等からなる巻上げ装置とから構成されている。
【０００３】
一般的にエレベータかごは直方体の箱状に形成されており、数人から十数人を収納可能な大きさに有しているが、通常の生活空間と比較して、狭い空間に多人数が密閉状態で収容されることから、閉所恐怖症の既往症を有する者は勿論、健常者であっても快適な空間とは言い難い。
【０００４】
また、面識の無い他人と乗り合わせた場合には、天井、側壁、または床等の内側面部に視線を移し、互いに目を合わせないようにすることが多く、その際は無味乾燥な床面等が視認され、非常に不快であるという不具合を有していた。
【０００５】
上記不具合を解決するために、表面に模様が施され、電圧によって透明／不透明を切替えることが可能な液晶調光ガラスを天井照明の下方に配置したエレベータかごの天井照明装置が提案されている（特許文献１）。
しかしながら上記特許文献１に係る天井照明装置は、液晶調光ガラスが高価であると共に、電気的配線が複雑であり、全体構造が複雑で製造コストが高くなるという不具合を有していた。
また、予め準備された図柄の視認可否を切替えるのみであるため、変化に乏しく外観品質が高いものではない。
更に、照明装置が存在しない天井以外の側壁面、床面等には適用することができないと言う不具合を有していた。
【０００６】
また、ホテル等に設置されるエレベータかごは、高級感を醸し出すために、内側面部を、銅を主成分としスズを含む合金である、所謂ブロンズの塗膜で被覆した上で、合成樹脂等でコーティングした構成ものが増加している。
しかし、上記ブロンズの塗膜は非常に高価であり、エレベータかごの製造コスト増大の一因となっていた。
【考案の開示】
【考案が解決しようとする課題】
【０００７】
本考案の解決する課題は、構造が単純で、低コストで製造が可能で、エレベータかごの任意の内側面部に適用可能であり、且つ装飾の自由度が高いエレベータかごの内側面部構造を提供することにある。
【課題を解決するための手段】
【０００８】
上記課題を解決するために、請求項１に記載の考案に係るエレベータかごの内側面部構造は、エレベータかごの内側面部構造であって、エレベータかごの各内側面部を構成する基材と、上記基材の内方面部を被覆すると共に、反基材側の面部にレンチキュラレンズが配設された合成樹脂製のシート材とを備えることを特徴とする。
【０００９】
レンチキュラレンズとは、透明な合成樹脂製のシート材の一方面部にかまぼこ型の凸レンズを多数並列することにより形成され、上記シート材の他方面部に所定の図絵が配置されている。
上記凸レンズの光の屈折作用により、視認角度が移動することによって視認できる図絵の内容が切り替わる、所謂チェンジング作用、及び左右の目の視角差を利用して、左右の目に別の図絵を視認させることにより、図絵が立体的に突出して視認される所謂３Ｄ作用等を奏する。
上記により、例えば、上記チェンジング作用によって、エレベータかごの内側面部を異なる装飾模様に切り替える、若しくは、３Ｄ作用を利用することによって、内側面部が奥行きを有しているように視認させ、エレベータかごの空間を広く認識させることができる。
【００１０】
また、請求項２に係るエレベータかごの内側面部構造は、上記基材と上記シート材との間には、アルミニウム・亜鉛合金めっき鋼板の塗布層が配設されていることを特徴とする。
【００１１】
上記のアルミニウム・亜鉛合金めっき鋼板とは、日本工業規格においてＪＩＳ−Ｇ３３２１にて規定されているめっき用鋼板である。
上記のブロンズと比較して、低価格であるという利点を有するが、高級感にかけるという不具合を有していた。
上記アルミニウム・亜鉛合金めっき鋼板の塗膜層の上に上記シート材を配設することにより、レンチキュラーレンズの作用によって上記塗膜層に立体感を生じさせ、より金属的な質感を高めることができる。
【００１２】
また、請求項３に係るエレベータかごの内側面部構造は、上記基材と上記シート材との間には、上記シート材と同一の大きさ寸法に形成され、全面域が発光しうるＬＥＤ照明装置が配設されていることを特徴とする。
従って、上記ＬＥＤ照明の光の透過によって、レンチキュラレンズが有する通常の作用を保持しつつ、照明としても機能する。
【００１３】
また、請求項４に係るエレベータかごの内側面部構造は、上記シート材の基材側面部には、所定の図絵が印刷されていることを特徴とする。
従って、レンチキュラレンズの作用によって、上記図絵が切り替わる、若しくは立体視される。
【００１４】
また、請求項５に係るエレベータかごの内側面部構造は、上記エレベータかごの天井板を構成する基材、上記シート材、及び上記ＬＥＤ照明装置には、開閉自在に形成された緊急脱出用開閉口が設けられていることを特徴とする。
従って、非常時においては、上記脱出口部からエレベータかごの外部に脱出することができる。
【考案の効果】
【００１５】
請求項１、及び請求項４の考案にあっては、エレベータかごの各内側面部を構成する基材と、上記基材の内方面部を被覆すると共に、反基材側にレンチキュラレンズが配設された合成樹脂製のシート材とを備えることから、配置する図絵を変更することによって、レンチキュラレンズの３Ｄ効果及びチェンジング効果等を利用した、様々な装飾形態が可能となる。
また、上記効果は、レンチキュラレンズの光の屈折作用によるものであり、複雑な電気配線等は不要である。
従って、構造が単純で、低コストで製造が可能で、エレベータかごの任意の内側面部に適用可能であり、且つ装飾の自由度が高いエレベータかごの内側面部構造を提供することができる。
【００１６】
また、請求項２の考案にあっては、上記基材と上記シート材との間には、アルミニウム・亜鉛合金めっき鋼板の塗布層が配設されていることから、原料価格が低廉なアルミニウム・亜鉛合金めっき鋼板を用いて、高級感を演出することができるため、エレベータかごの製造コストを低減することができる。
【００１７】
請求項３の考案にあっては、上記基材と上記シート材との間には、上記シート材と同一の大きさ寸法に形成され、全面域が発光しうるＬＥＤ照明装置が配設されていることから、上記ＬＥＤ照明装置からの光によって、照明の機能を十分に確保しつつ、レンチキュラレンズを通して視認さえる図絵も美しく、外観品質がより向上する。
【００１８】
また、請求項５の考案にあっては、上記エレベータかごの天井板を構成する基材、上記シート材、及び上記ＬＥＤ照明装置には、開閉自在に形成された緊急脱出用開閉口が設けられていることから、緊急時の安全性を確保することができる。
【図面の簡単な説明】
【００１９】
【図１】本考案の一実施の形態を示し、実施例の形態におけるエレベータかごの内側面部構造を示す、断面図である。
【図２】本実施例において使用するＬＥＤ照明装置の概略構成を示す平面図である。
【考案を実施するための最良の形態】
【００２０】
以下図面を用いて本実施例の形態について、エレベータかごが直方体の箱体であり、天井板の内側面部にＬＥＤ照明装置が配設されると共に、各側面の内側面部にアルミニウム・亜鉛合金めっき鋼板の塗布層が配設されている場合を例として説明する。
図１に示すように、本実施例に係るエレベータかご１１の内側面部構造１０は、エレベータかご１１の各内側面部を構成する基材１２と、上記基材１２の内側面部１３を被覆すると共に、反基材側にレンチキュラレンズ１４が配設された合成樹脂製のシート材１５とを備えている。
また、上記エレベータかご１１の側面板１８、１８の内側面部における上記基材１２と上記シート材１５との間には、アルミニウム・亜鉛合金めっき鋼板の塗布層１６が配設されている。
また、上記エレベータかご１１の天井板１９の内側面部における上記基材１２と上記シート材１５との間には、上記シート材１５と同一の大きさ寸法に形成され、全面域が発光しうるＬＥＤ照明装置１７が配設されている。
また、上記シート材１５の基材１２側の面部２１には、所定の図絵２２が印刷されている。
また、上記エレベータかご１１の天井板を構成する基材１２、上記シート材１５、及び上記ＬＥＤ照明装置１７には、開閉自在に形成された緊急脱出用開閉口２３が設けられている。
【実施例１】
【００２１】
本実施例の構成について以下添付図面を引用して詳述する。
図１は、本実施例のエレベータかご１１の内側面部構造１０の概略を示す断面図である。
図１に示すように、エレベータかご１１は直方体の箱体であり、天井板１９と、側面板１８、１８、１８と、床面板２４からなる基材１２から形成されている。
図１に示すように、天井板１９の内側面部の略全域には、薄型板状のＬＥＤ照明装置１７が配設されている。
【００２２】
図２は上記ＬＥＤ照明装置１７の構成例を示す平面図である。
図２に示すように上記ＬＥＤ照明装置１７は、透明若しくは半透明の合成樹脂からなり、薄型長方形に形成された発光本体部２０と、上記発光本体部２０の幅方向両端部において、長さ方向に沿って所定間隔寸法離間して配置されたＬＥＤ２６、２６、２６．．．と、互いに対応するＬＥＤ２６、２６間に幅方向に沿って形成された溝部２７とを備えている。
上記ＬＥＤ２６、２６、２６．．から照射された光は、上記溝部２７内を通過する際に、溝部２７内壁に反射して散乱し、溝部２７全体が発光する。
上記ＬＥＤ２６、２６、２６．．．の離間寸法を十分に小さくすることによって、
上記溝部２７の発光によって、上記発光本体部２０の全面域が発光する。
【００２３】
また、図１に示すように、エレベータかご１１の側面板１８、１８の内側面部のアルミニウム・亜鉛合金めっき鋼板の塗布層１６は、ＪＩＳ（日本工業規格）上の名称は「溶融５５％アルミニウム−亜鉛合金めっき鋼板及び鋼帯溶融５５％アルミニウム−亜鉛合金めっき鋼板及び鋼帯」であり、通称ガルバリウム鋼板（登録商標）と称される材料から形成されている。
【００２４】
本実施例の作用について説明する。
図１に示すように、上記シート材の裏面には、装飾用の図絵２２が印刷されている。
図絵の柄は自由であるが、例えば、天井板１９に配置されたシート材１５は空の写真、側面板には草原等の風景写真等を印刷ことによって、レンチキュラレンズ１４の３Ｄ作用を利用することによって、あたかも外の草原に立っている感覚となり、閉所が苦手な乗員であっても、不快感が生じることがない。
また、アルミニウム・亜鉛合金めっき鋼板の塗布層１６を、レンチキュラレンズ１４を通して視認することによって、金属的な質感が高まり、側面板１８、１８がより重厚で高級感のある外観になる。
【００２５】
また、図絵２２を複数の広告写真等から形成した場合には、レンチキュラレンズ１４のチェンジング作用を利用することによって、立ち位置によって別々の広告が視認できるため、広告効果をより高めることが可能である。
【００２６】
また、上記緊急脱出用開閉口２３は、人間が通過できる程度の大きさ寸法に形成され、上記寸法に合わせて、シート材１５、ＬＥＤ照明装置１７の発光本体部２０、及び天井板１９の基材１２が切り取られ、切り取られた部分は一体に接合され、上記緊急脱出用開口部２３の蓋部２８が形成され、通常時には上記緊急脱出用開閉口２３に嵌合して、上記緊急脱出用開閉口２３を閉止している。
緊急時においては、上記蓋部２８を上方に持ち上げることによって、エレベータかご１１の上部に脱出することができる。
本実施例においては、上記ＬＥＤ照明装置１７の発光本体部２０の溝部２７に、電気的な配線がされていない。
従って、緊急脱出用開閉口２３を形成するために、発光本体部２０を切断しても、幅方向両端部から光が入光し、全面発光を保持することができる。
【００２７】
なお、本実施例に示したエレベータかごの形状はあくまで一例であり、本実施例は、円筒形、多角柱等、様々な形状のエレベータかごにも適用することができる。
また、照明装置は天井板部分以外であっても、側面板、床面板に配置しても良い。
【産業上の利用可能性】
【００２８】
本考案は、エレベータかごの内側面部構造に適用が可能である。
【符号の説明】
【００２９】
１０  エレベータかごの内側面部構造
１１  エレベータかご
１２  基材
１３  エレベータかごの内側面部
１４  レンチキュラレンズ
１５  シート材
１６  塗布層
１７  ＬＥＤ照明装置
１８  側面板
１９  天井板
２０  発光本体部
２１  シート材の基材側面部
２２  図絵
２３  緊急脱出用開閉口
２４  床面板
２６  ＬＥＤ
２７  溝部
２８  蓋部
【図１】
0003162777.tif 000003
【図２】
0003162777.tif 000004